(57)【特許請求の範囲】
【請求項１】
それぞれ試験対象（１）に接続される１個以上のポート（１２）を有した複数の物理ＩＦモジュール（１１）が装着自在に設けられ、前記各物理ＩＦモジュールを介して各試験対象に対する試験を実施する複数の試験機（７）と、この各試験機を管理する管理機（４０）とをネットワーク（８）で接続した試験システムの測定情報設定装置において、
前記各試験機（７）は、自己に装着される各物理ＩＦモジュールの種別と各物理ＩＦモジュールの各ポートに接続される試験対象に対して実施される試験の少なくとも測定項目と測定条件を含む複数の測定情報（３４）を記憶する測定情報ファイル（３３）を有し、
前記管理機（４０）は、
全ての試験機のＩＤと各試験機に装着される各物理ＩＦモジュールの種別と各物理ＩＦモジュールの各ポートに接続される試験対象に対して実施される試験の少なくとも測定項目と測定条件を含む複数の測定情報（３４）を記憶するシステム全体測定情報ファイル（４７）と、
このシステム全体測定情報ファイルに記憶された各ポートの測定情報を、ポート単位（４９）、物理ＩＦモジュール単位（５０）、及び試験機単位（５１）で指定する測定情報指定手段（Ｓ６、Ｓ８）と、
この測定情報指定手段で指定された単位で、前記システム全体試験情報ファイルに記憶された各測定情報を編集する測定情報編集手段（Ｓ７、Ｓ９）と、
この編集された各ポートの測定情報を前記指定された単位で、該当単位で特定される試験機へ送出して、該当試験機に試験情報ファイルを更新させる編集結果送信手段（Ｓ１２）と
を有することを特徴とする試験システムの測定情報設定装置。
【発明の詳細な説明】
【０００１】
【発明の属する技術分野】
本発明は、インターネット等の各種通信ネットワークに組込まれた各種通信機器の特性を試験する試験システムに係わり、特にこの試験システムを構成する各試験機が各試験対象に実施する試験の各測定項目や測定条件を含む測定情報を設定する試験システムの測定情報設定装置に関する。
【０００２】
【従来の技術】
インターネットを始めとする各種通信ネットワークに組込まれた各種通信機器が有する各種の特性を試験することは、新規の通信機器を開発したり、新規の通信ネットワークを構築する場合に、欠かすことのできない重要な事項である。また、稼働中の通信機器や通信ネットワークの保守、管理においても欠かすことのできない事項である。
【０００３】
通信ネットワークに組込まれた多数の通信機器を効率的に試験するためには複数の試験機を各通信機器に接続して、ある特定の通信機器に対して試験信号を印加して、ネットワークで接続された他の通信機器における該当試験信号の受信状態を同時に測定ずる場合もある。このような場合、試験機をＬＡＮ等のネットワークで接続して、各試験機に対して試験指示を一斉に配信し、試験結果をネットワークを介して集計する。勿論、各通信機器毎に専用の試験機で該当通信機器に入出力される信号を測定して、該当通信機器の特性の試験を行う場合もある。
【０００４】
また、各通信ネットワークに組込まれる通信機器はこの通信ネットワークで定まる伝送速度でデータ送受信を行う。例えば、デジタルデータの伝送速度の仕様や規格が、１０Ｍbps／１００Ｍbps 、２．５Ｇbps、１０Ｇbps等の複数種類存在し、さらにデジタルデータの信号が光信号の場合、光の波長が１．３１ｎｍ、１，５５ｎｍ等の複数種類が存在する。したがって、１０Ｍbps／１００Ｍbpsは電気信号で、２．５Ｇbps、１０Ｇbpsが光信号の場合、合計５種類の送受信形態が存在する。
【０００５】
したがって、伝送速度や光波長がそれぞれ異なる複数種類の通信機器等の試験対象に対する試験を実施可能とするためには、各伝送速度と光波長との各組合せに対応する送受信回路等のインタフェースを、各試験機内に組込む必要がある。このように、多数の送受信回路等のインタフェースを予め試験機内に組込むと、試験機が複雑化し、高価格化する。
【０００６】
このような不都合を解消するために、図１３に示すように、通信機器等の各試験対象１が有する伝送速度と光波長との各組合せに対応する送受信回路等のインタフェースを、この試験機２に対して装着自在のカード状の物理ＩＦ（インタフェース）モジュール３に組込むことが考えられる。よって、試験を実施しようとする試験対象１のデータ通信の仕様や規格に対応した物理ＩＦモジュール３を各試験機２に装着することによって、該当試験対象１との間でデータの送受信が可能となる。
【０００７】
さらに、各試験機２における試験効率を向上させたり、前述した複数の試験対象１を用いて試験を実施するために、１台の試験機２で同時に複数の試験対象１に対する試験を実行可能とするために、各物理ＩＦモジュール３に対してデータ信号送受のための複数のポート４を設けている。そして、図１３に示すように、各物理ＩＦモジュール３の各ポート４に各試験対象１を接続して試験を実施する。
【０００８】
このように、それぞれ複数のポート４を有した複数の物理ＩＦモジュール３が装着自在に設けられた複数の試験機２をネットワークで接続してなる試験システムにおいて、通信ネットワークに組込まれた複数の通信機器相互間のデータ送受信の試験のように複雑な試験を実施する場合には、この試験システムを構成する各試験機２に装着されている各物理ＩＦモジュール３の各ポート４に接続された測定対象１に対して実施する試験の各測定項目や測定条件等を含む測定情報を、実際の試験実施に先立って各試験機２のメモリに設定する。
【０００９】
そして、測定作業者は、各試験機２に装着されている物理ＩＦモジュール３の各ポート４に対して測定を実施しようとする試験対象１を接続する。その後、メモリ内に各ポート毎に予め定められた測定情報が示す各測定項目の試験を同じく測定条件に従って自動的に実施される。そして、各試験機２で得られた試験結果は、ネットワークを介して、一カ所に収集されて解析される。
【００１０】
試験を実施する都度、この試験を実施するための測定情報を各ポートに測定作業者が設定するのは非常に煩わしいので、試験実施後に、試験実施に使用した測定情報をクリアすることなく、システム全体の測定情報を一括して保存して、次回に、同一測定情報を用いる試験を実施する場合に再利用することが考えられる。
【００１１】
【発明が解決しようとする課題】
しかしながら、このように一旦使用したシステム全体の測定情報を記憶保持して再利用する試験システムにおいても、未だ解消すべき次のような課題があった。
【００１２】
すなわち、この試験システムで実施する試験項目は多岐に亘るので、各ポートに設定した測定情報を変更したり、あるポートに設定していた測定情報を他のポートで再利用したい場合が多々ある。このような場合、記憶されている前回の測定情報を使用できないので、測定作業者は、システム全体の測定情報を、手作業で再度設定して、試験機２のメモリに書込む必要がある。
【００１３】
このシステム全体の測定情報を設定する作業は、前述したように非常に煩わしいので、この試験システムを用いた通信ネットワークに組込まれた複数の通信機器の特性を試験する場合の試験作業能率が大幅に低下する。
【００１４】
本発明は、このような事情に鑑みてなされたものであり、システム全体の測定情報のみならず、各ポートの測定情報を、ポート単位、物理ＩＦモジュール単位、及び試験機単位で扱い可能とすることにより、簡単に新規のシステム全体の測定情報を設定でき、試験システムを用いた複数の測定対象を試験する場合における試験作業能率を大幅に向上できる試験システムの測定情報設定装置を提供することを目的とする。
【００１５】
【課題を解決するための手段】
本発明は、それぞれ試験対象に接続される１個以上のポートを有した複数の物理ＩＦモジュールが装着自在に設けられ、各物理ＩＦモジュールを介して各試験対象に対する試験を実施する複数の試験機と、この各試験機を管理する管理機とをネットワークで接続した試験システムの測定情報設定装置に適用される。
【００１６】
そして、上記課題を解消するために、本発明の試験システムの測定情報設定装置においては、各試験機に対して、自己に装着される各物理ＩＦモジュールの種別と各物理ＩＦモジュールの各ポートに接続される試験対象に対して実施される試験の少なくとも測定項目と測定条件を含む複数の測定情報を記憶する測定情報ファイルを付加している。
【００１７】
そして、管理機に対して、全ての試験機のＩＤと各試験機に装着される各物理ＩＦモジュールの種別と各物理ＩＦモジュールの各ポートに接続される試験対象に対して実施される試験の少なくとも測定項目と測定条件を含む複数の測定情報を記憶するシステム全体測定情報ファイルと、このシステム全体測定情報ファイルに記憶された各ポートの測定情報を、ポート単位、物理ＩＦモジュール単位、及び試験機単位で指定する測定情報指定手段と、この測定情報指定手段で指定された単位で、システム全体試験情報ファイルに記憶された各測定情報を編集する測定情報編集手段と、編集された各ポートの測定情報を指定された単位で、該当単位で特定される試験機へ送出して、該当試験機に試験情報ファイルを更新させる編集結果送信手段とを付加している。
【００１８】
こように構成された試験システムの測定情報設定装置においては、試験システムを構成する各試験機には、自己の各ポートに対して設定される測定情報を記憶する測定情報ファイルが形成されている。
【００１９】
さらに、管理機においては、試験システムを構成する全ての試験機の各ポートに設定される測定情報を記憶するシステム全体測定情報ファイルが形成されている。そして、このシステム全体測定情報ファイル内に設定された各ポートの測定情報に対する、他のポートの測定情報との交換、他のポートの測定情報を流用、削除、変更、新規設定等の編集作業が必要となると、測定作業者は、編集対象の１個又は複数のポートの測定情報を含むポート単位、又は物理ＩＦモジュール単位、又は試験機単位で指定して、編集作業が実施できる。
【００２０】
したがって、例えば、１つのポートの測定情報のみを編集する場合は、測定情報をポート単位で指定することにより、間単に、システム全体測定情報ファイルの設定内容を変更できる。
【００２１】
よって、編集要求の発生都度、システム全体測定情報を作成する必要があった従来の測定システムに比較して、試験システムの測定情報設定作業能率がされに向上する。
【００２２】
【発明の実施の形態】
以下、本発明の一実施形態を図面を用いて説明する。
図１は実施形態に係る測定情報設定装置が組込まれた試験システムの全体構成を示す模式図である。
【００２３】
通信ネットワーク５内に多数の通信機器６が組込まれている。この通信ネットワーク５内に組込まれた各通信機器６の特性を試験する試験システムを構成する各試験機７には、前記各通信機器６が試験対象１として接続される。この場合、１台の試験機７に複数台の試験対象１が接続されると共に、１台の試験対象１に複数台の試験機７が接続される場合もある。
【００２４】
さらに、試験システムを構成する各試験機７は、インターネット８を介してコンピュータで構成された管理機４０と情報交換を行うことができる。さらに、通信ネットワーク５内に組込まれた各通信機器６（試験対象１）は固有のＩＤ（識別情報）を有している。同様に、試験システムを構成する各試験機７も固有のＩＤ（識別情報）を有している。
【００２５】
図２は各試験機７の外観図であり、図３はこの各試験機７の概略構成を示すブロック図であり、図４はこの各試験機７の詳細ブロック図である。
【００２６】
図２（ａ）に示すように、試験機７の正面７ａには、ＧＵＩ（グラフィカル・ユーザ・インタフェース）の一部を構成する表示器９ａ及び操作パネル９ｂが設けられている。試験機７の裏面７ｂには、図２（ｂ）に示すように、ＰＣＩ（Peripheral Component Interconnect  周辺機器間接続）カードと称するカード状の物理ＩＦモジュール１１を装着するための５個のスロット（挿入口）１０が形成されている。各物理ＩＦモジュール１１の端面には、それぞれ試験対象１を接続するための複数のポート１２が設けられている。
【００２７】
前述したように、各物理ＩＦモジュール１１内には、通信機器６等の各試験対象１が有する伝送速度と光波長との各組合せに対応する送受信回路等のインタフェースが組込まれている。この実施形態においては、前述したように、
（ａ）１０Ｍbps／１００Ｍbps  電気信号            ポート数  ８
（ｂ）Ｇbps  電気信号                            ポート数  ２
（ｃ）２．５Ｇbps  光信号  光名長  １．３１ｎｍ  ポート数  １
（ｄ）２．５Ｇbps  光信号  光名長  １．５５ｎｍ  ポート数  １
（ｅ）１０  Ｇbps  光信号  光名長  １．３１ｎｍ  ポート数  １
（ｆ）１０  Ｇbps  光信号  光名長  １．５５ｎｍ  ポート数  １
の合計、６種類の物理ＩＦモジュール１１が予め準備されている。なお、各ポート１２にはポート番号（Ｐ1、Ｐ2、Ｐ3、…、Ｐｎ）が付されている。
【００２８】
測定作業者は、通信ネットワーク５に組込まれた通信機器６等の自己が試験しようとする試験対象１におけるデータ送受信に関する仕様や規格に合致した物理ＩＦモジュール１１をスロット（挿入口）１０に装着し、この物理ＩＦモジュール１１のポート１２に試験対象１を接続する。
【００２９】
図３に示すように、この試験機７は、大きく分けて、前述した試験機７の正面７ａに設けられた表示器９ａ及び操作パネル９ｂからなるＧＵＩ１３が組込まれた操作クライアント１４と、この操作クライアント１４に対してＬＡＮ１５を介して接続された試験実施サーバ１６と、この試験実施サーバ１６に対して着脱自在に設けられた複数の物理ＩＦモジュール１１とで構成されている。前記ＬＡＮ１５は外部のインターネット８にも接続されている。
【００３０】
図４は試験実施サーバ１６及び物理ＩＦモジュール１１の詳細ブロック図である。
着脱自在に設けられた各物理ＩＦモジュール１１はスロット１０内に設けられた図示しないコネクタを介してＰＣＩバス１７に接続される。このＰＣＩバス１７は、ＰＣＩバスブリッジ１８を介して、試験実施サーバ１６のシステムバス１９に接続されている。このシステムバス１９に、各試験対象１に対して試験を実施するためのＣＰＵ２０及び主メモリ２１が接続されている。ＰＣＩバスブリッジ１８は、バスクロックの周波数が高いシステムバス１９とバスクロックの周波数が低いＰＣＩバス１７とを接続する機能を有する。
【００３１】
主メモリ２１内には、この試験実施サーバ１６が各物理ＩＦモジュール１１の各ポート１２に接続された各試験対象１に対して実行する各種試験の試験プログラム及び図９に示す測定情報ファイル３３が記憶されている。
【００３２】
測定情報ファイル３３内には、自己の試験機７（ＩＤ＝Ｕ1、Ｕ2、…、Ｕk）に装着される各物理ＩＦモジュール１１の種別（ＩＤ＝Ｍ1、Ｍ2、Ｍ3、…、ＭN）と各物理ＩＦモジュール１１の各ポート１２（ポート番号Ｐ1、Ｐ2、Ｐ3、…、Ｐn）に接続される試験対象１に対して実施される試験の少なくとも測定項目と測定条件を含む複数の測定情報３４が記憶されている。
【００３３】
ＰＣＩバス１７には、先述した複数の物理ＩＦモジュール１１の他に、ＬＡＮ１５を介して前述した操作クライアント１４が接続されたＬＡＮインタフェース２２が接続されている。
【００３４】
ＰＣＩバス１７に対して着脱自在に設けられた物理ＩＦモジュール１１において、ローカルバス２３に対して、試験対象１に対してポート１２を介してデータ信号を送受信する複数の送受信器２４、送受信用のソフトウエアを記憶するメモリ２５、この送受信用のソフトウエアを用いてデータの送受信を実施するＣＰＵ２６、及び前記ＰＣＩバス１７との間に介挿されたＰＣＩターゲット２７が接続されている。ＰＣＩターゲット２７は、ＰＣＩバス１７と内部のローカルバス２３とを接続するインタフェース機能を有する。
【００３５】
操作クライアント１４には、例えばWindows（登録商標）98等の市販のＯＳが組込まれており、ＬＡＮ１５及びインターネット８を介して管理機４０と情報交換が可能である。そして、この操作クライアント１４は、試験実施サーバ１６に対して、ＧＵＩ１３を介して測定作業者が指示した試験実行指示を出力し、試験結果を表示器９ａに表示出力する。
【００３６】
図５は、操作クライアント１４の概略構成を示すブロック図である。データバス２８に対して、ＣＰＵ２９、ＧＵＩ１３を構成する表示器９ａ及び操作パネル９ｂ、ＬＡＮ１５に接続されたＬＡＮインタフェース３０、各種のアプリケーション・プログラムを記憶する主メモリ３１、ＨＤ等の補助記憶装置３２等が接続されている。
【００３７】
図６は、管理機４０の概略構成を示すブロック図である。データバス４１に対して、ＣＰＵ４２、ＧＵＩ４３を構成する表示器４３ａ及び操作パネ４３ｂ、主メモリ４４、インターネット８に接続されたＬＡＮインタフェース４５等が接続されている。
【００３８】
主メモリ４４内には、各試験機７に対する測定情報の編集を含む各種の管理を実施するためのプログラム４６、システム全体測定情報ファイル４７、保存ファイル４８が設けられている。
【００３９】
システム全体測定情報ファイル４７内には、図７に示すように、この試験システムを構成する全ての試験機７のＩＤ（＝Ｕ1、Ｕ2、…、Ｕk）に装着される各物理ＩＦモジュール１１の種別（ＩＤ＝Ｍ1、Ｍ2、Ｍ3、…、ＭN）と各物理ＩＦモジュール１１の各ポート１２（ポート番号Ｐ1、Ｐ2、Ｐ3、…、Ｐn）に接続される試験対象１に対して実施される試験の少なくとも測定項目と測定条件を含む複数の測定情報３４が記憶されている。
【００４０】
従って、先述した、各試験機７の試験実施サーバ１６の主メモリ２１に形成された測定情報ファイル３２内には、このシステム全体測定情報ファイル４７内の、自己の試験機７の物理ＩＦモジュール１１とポート１２に関する測定情報３４が記憶されていることになる。
【００４１】
図７のシステム全体測定情報ファイル４７における各ポート１２（ポート番号Ｐ1、Ｐ2、Ｐ3、…、Ｐn）に対応して設けられた各測定情報３４は、図８に示すように、例えば、「Ｕ1―Ｍ1―Ｐ1」のように、試験システム上の自己の位置を示す位置情報３３が含まれる。さらに、複数の測定項目３６と測定条件３７が含まれる。例えば、Ｆ１〜Ｆ４の測定項目として、誤り測定（Ｆ１）、カウンタ（Ｆ２）、周波数測定（Ｆ３）、遅延時間測定（Ｆ４）等が設定されている。
【００４２】
管理機４０のＧＵＩ４３の表示器４３ａには、測定作業者が測定情報３４に対する編集作業の開始操作を入力すると、図１０に示す、編集作業画面が表示される。画面の左側に、この試験システムの試験機７―物理ＩＦモジュール１１―ポート１２のツリー構造からなる試験システム構造３８が表示され、画面の右側に、測定作業者が、画面上で、マウスを用いてクリック操作したポート１２に設定された測定情報３４が表示される。さらに、測定作業者は、表示画面上で、Ｆ１〜Ｆ４の一つの測定項目３８を選択することによって、該当測定項目３８の詳細な測定条件３７を表示出力させることが可能である。
【００４３】
さらに、この編集作業画面には、読出ボタン３９ａと保存ボタン３９ｂとが設けられている。
【００４４】
さらに、この編集作業画面上で、測定作業者は、１個又は複数の測定情報３４を、ポート単位４９、物理ＩＦモジュール単位５０、及び試験機単位５１で指定することが可能である。具体的には、ポート単位４９で１個の測定情報３４を指定する場合は、目標とする測定情報３４のポート１２をマウスでクリックする。物理ＩＦモジュール単位５０で複数の測定情報３４を指定する場合は、この複数の測定情報３４の各ポート１２が所属する物理ＩＦモジュール１１をマウスでクリックする。さらに、試験機単位５１で複数の測定情報３４を指定する場合は、この複数の測定情報３４の各ポート１２及び各物理ＩＦモジュール１１が所持区する試験機７をマウスでクリックする。
【００４５】
このように、測定作業者は、システム全体測定情報ファイル４７に記憶された各測定情報３４を、編集範囲に応じて、ポート単位４９、物理ＩＦモジュール単位５０、又は試験機単位５１で指定することが可能である。
【００４６】
図６の主メモリ４６の保存ファイル４８内には、測定作業者が、編集作業画面上で１個又は複数の測定情報３４が、指定された単位４９、５０、５１で、後から読出しができるように名前を付けて保存される。すなわち、この保存ファイル４８は、システム全体測定情報ファイル４７に記憶された各測定情報３４を、ポート単位４９、物理ＩＦモジュール単位５０、及び試験機単位５１で一時的に保存する機能を有する。
【００４７】
そして、管理機４０は、図１１、図１２の流れ図に従って、システム全体測定情報ファイル４７に記憶された各ポート１２の測定情報３４に対する編集処理を実行する。
【００４８】
測定作業者が、ＧＵＩ４３を介して、編集業務の開始を指示すると、図１０に示した編集作業画面を表示器４３ａに表示出力する。なお、この状態においては、試験システム構造３８のみ表示され、測定情報３４は表示されていない（Ｓ１）。
【００４９】
測定作業者が、マウスで一つのポート１２を指定しその後に読出しボタン３９ａを操作すると（Ｓ２）、システム全体測定情報ファイル４７に記憶されている該当ポート１２の測定情報３４を読出して、図１０に示すように、編集作業画面の右側領域に表示する（Ｓ３）。
【００５０】
また、測定作業者が、マウスで、ポート単位４９、物理ＩＦモジュール単位５０、又は試験機単位５１を前述した手法で指定し、その後に保存ボタン３９ｂを押すと（Ｓ４）、指定された単位４９、５０、５１に所属する１個又は複数の測定情報３４をシステム全体測定情報ファイル４７から読出す。そして、測定作業者がこの単位４９、５０、５１に指定した名前を付して、保存メモリ４８に書込む（Ｓ５）。
【００５１】
測定作業者が、移動元の単位４９、５０、５１と移動先の単位４９、５０、５１とを指定した測定情報３４の移動指令を入力操作すると（Ｓ６）、システム全体測定情報ファイル４７に記憶されている移動元の単位に所属する各測定情報３４を読出して、この各測定情報３４をシステム全体測定情報ファイル４７の移動先の単位の各測定情報３４上に上書きする（Ｓ７）。
【００５２】
測定作業者が、保存メモリ４８に記憶されている各測定情報３４を単位の名前を指定し、さらに移動先の単位を指定した移動指令を入力操作すると（Ｓ８）、保存メモリ４８に記憶されている移動元の単位に所属する各測定情報３４を読出して、この各測定情報３４をシステム全体測定情報ファイル４７内の移動先の単位の各測定情報３４上に上書きする（Ｓ９）。
【００５３】
そして、測定作業者が、編集終了指示を入力すると（Ｓ１０）、今回の編集作業にて、システム全体測定情報ファイル４７に記憶されている各測定情報３４に変更が生じたか否かを判定する（Ｓ１１）。変更が生じた場合は、変更の生じた１個又は複数の測定情報３４を含む単位４９、５０、５１に含まれる変更なしも含む各測定情報３４を該当単位で読出して、該当単位で特定される試験機７へ送信する（Ｓ１２）。
【００５４】
管理機４０から１個又は複数の測定情報３４をポート単位４９、物理ＩＦモジュール単位５０、又は試験機単位５１で受信した試験機７の試験実施サーバ１６は、自己の主メモリ２１内に記憶されら自己の測定情報ファイル３３に記憶された各測定情報３４を受信した測定情報３４で更新する。
【００５５】
したがって、各試験機７の測定情報ファイル３３に記憶された各測定情報３４と、管理機４０のシステム全体測定情報ファイル４７における自己の試験機７に対応する各測定情報３４に一致する。
【００５６】
このように構成された試験システムの測定情報設定装置においては、測定システムを構成する各試験機７の試験実施する試験実施サーバ１６の主メモリ２１内に、自己の各ポート１２に対して設定される測定情報３４を記憶する測定情報ファイル３３が形成されている。
【００５７】
さらに、各測定機７に対してインターネット８を介して接続された管理機４０の主メモリ４４内には、試験システムを構成する全ての試験機７の各ポート１２に設定される測定情報３４を記憶するシステム全体測定情報ファイル４７が形成されている。
【００５８】
そして、このシステム全体測定情報ファイル４７内に設定された各ポート１２の測定情報３４に対する、他のポート１２の測定情報３４との交換、他のポート１２の測定情報３４を流用、削除、変更、新規設定等の編集作業が必要となると、測定作業者は、管理機４０の表示器４３ａ上に、図１０に示す編集作業画面を表示させて、編集対象の１個又は複数のポート１２の測定情報３４を含むポート単位４９、又は物理ＩＦモジュール単位５０、又は試験機単位５１で指定して、編集作業が実施できる。
【００５９】
したがって、例えば、１つのポート１２の測定情報３４のみを編集する場合は、この測定情報３４をポート単位４９で指定することにより、簡単に、システム全体測定情報ファイル４７の設定内容を変更できる。
【００６０】
また、管理機４０のシステム全体測定情報ファイル４７の設定内容が変更されると、その変更部分に対応する各試験機７の測定情報ファイル３３の設定内容も自動的に変更される。
【００６１】
よって、編集要求の発生都度、システム全体測定情報を作成する必要があった従来の試験システムに比較して、試験システムの測定情報設定作業能率がされに向上する。
【００６２】
【発明の効果】
以上説明したように、本発明の試験システムの測定情報設定装置においては、試験システム全体の測定情報のみならず、各ポートの測定情報を、ポート単位、物理ＩＦモジュール単位、及び試験機単位で編集等の扱いを可能としている。したがって、簡単に新規のシステム全体の測定情報を設定でき、試験システムを用いた複数の通信ネットワークに組込まれた測定対象としての通信機器を試験する場合における試験作業能率を大幅に向上できる。
【図面の簡単な説明】
【図１】本発明の一実施形態の測定情報設定装置が組込まれた試験システムの全体構成を示す模式図
【図２】同試験システムに組込まれた各試験機の外観図
【図３】同各試験機の概略構成を示すブロック図
【図４】同各試験機に組込まれた試験実施サーバの詳細ブロック図
【図５】同各試験機に組込まれた操作クライアントの詳細ブロック図
【図６】同試験システムに組込まれた管理機の概略構成を示すブロック図
【図７】同管理機内に組込まれたシステム全体測定情報ファイルの記憶内容を示す図
【図８】同システム全体測定情報ファイルに記憶された測定情報の詳細内容を示す図
【図９】各試験機の試験実施サーバ内に組込まれた測定情報ファイルの記憶内容を示す図
【図１０】管理機内の表示器に表示された編集作業画面を示す図
【図１１】同管理機の測定情報編集処理動作を示す流れ図
【図１２】同じく同管理機の測定情報編集処理動作を示す流れ図
【図１３】従来の試験機の概略構成を示す模式図
【符号の説明】
１…試験対象
５…通信ネットワーク
６…通信機器
７…試験機
８…インターネット
１１…物理ＩＦモジュール
１２…ポート
１３、４３…ＧＵＩ
１４…操作クライアント
１５…ＬＡＮ
１６…試験実施サーバ
３３…測定情報ファイル
３４…測定情報
３８…試験システム構成
４０…管理機
４７…システム全体測定情報ファイル
４８…保存ファイル
４９…ポート単位
５０…物理ＩＦモジュール単位
５１…試験機単位
【図１】
0003539942.tif 000002
【図２】
0003539942.tif 000003
【図３】
0003539942.tif 000004
【図４】
0003539942.tif 000005
【図５】
0003539942.tif 000006
【図６】
0003539942.tif 000007
【図７】
0003539942.tif 000008
【図８】
0003539942.tif 000009
【図９】
0003539942.tif 000010
【図１０】
0003539942.tif 000011
【図１１】
0003539942.tif 000012
【図１２】
0003539942.tif 000013
【図１３】
0003539942.tif 000014